(57)【要約】      （修正有）【課題】ガラスの重量の増加及び扉駆動装置や扉保持部の容量の増加を必要とせず、安全性、視認性、意匠性を向上できるエレベータ用ガラス扉を提供する。【解決手段】ガラスの縁部がガラス支持枠で支持され、上方から吊り下げられ、下方を敷居に案内されて開閉する乗場の戸４及びかごの戸の少なくとも一方を構成するエレベータのガラス扉において、ガラス支持枠は、ガラスの上縁部を支持する上部横枠１０ｂと、ガラスの下縁部を支持する下部横枠１０ｃと、ガラスの戸袋側一縁部を支持する縦枠１０ａとを備え、ガラスの戸当り側他縁部には、ガラス支持枠が配置されない構成とした。【選択図】図３
2008105800.tif 000002
【特許請求の範囲】
【請求項１】
ガラスの縁部がガラス支持枠で支持され、上方から吊り下げられ、下方を敷居に案内されて開閉する乗場の戸及びかごの戸の少なくとも一方を構成するエレベータのガラス扉において、
前記ガラス支持枠は、
前記ガラスの上縁部を支持する上部横枠と、
前記ガラスの下縁部を支持する下部横枠と、
前記ガラスの戸袋側一縁部を支持する縦枠と、
を備え、
前記ガラスの戸当り側他縁部には、前記ガラス支持枠が配置されないことを特徴とするエレベータのガラス扉。
【請求項２】
縦枠は、上部横枠及び下部横枠よりも剛性が高く形成され、ガラスの重量の大部分を支持することを特徴とする請求項１記載のエレベータのガラス扉。
【請求項３】
縦枠は、戸閉時においても戸袋内に配置され、乗場側又はかご室側から隠蔽されることを特徴とする請求項１又は請求項２に記載のエレベータのガラス扉。
【請求項４】
縦枠は、上部横枠及び下部横枠よりも乗場側又はかご室側へ突出する突出部を備え、
前記突出部は、乗場の三方枠の縦枠又はかごの出入口枠の縦枠からガラスの表面側に突出するように形成され、前記突出部の戸当り側に配置される隠蔽部によって乗場側又はかご室側から隠蔽されることを特徴とする請求項３記載のエレベータのガラス扉。
【請求項５】
縦枠は、戸当り側に階段状に折り曲げられて形成された凹部を備え、前記凹部でガラスの一縁部を挟み込んで支持することを特徴とした請求項１〜請求項４のいずれかに記載のエレベータのガラス扉。
【請求項６】
縦枠は、内部に補強部材が配置され、前記補強部材の戸当り側端面を底面とする凹部を備え、前記凹部でガラスの一縁部を挟み込んで支持することを特徴とする請求項１〜請求項４のいずれかに記載のエレベータのガラス扉。
【請求項７】
縦枠は、戸当り側に凹部を備える横断面略凹字状に形成され、前記凹部でガラスの一縁部を挟み込んで支持することを特徴とした請求項１〜請求項４のいずれかに記載のエレベータのガラス扉。
【請求項８】
凹部の底面とガラスの一縁部の間に、弾性体からなる緩衝材が挟み込まれていることを特徴とする請求項５〜請求項７のいずれかに記載のエレベータのガラス扉。
【請求項９】
上部横枠の上方に配置され、揺動自在な可動片を乗場の出入口上方の昇降路側に配置される固定片と係合させて施錠する施錠装置と、
縦枠に配置され、揺動自在な解錠レバーの一端を乗場側から手動操作で引き上げることにより、前記解錠レバーの他端と前記可動片に連結されたワイヤを引き下げ、前記可動片を前記固定片との係合を解除させる方向に揺動させ、前記施錠装置を解錠する手動解錠装置と、
を備え、
前記縦枠の中空部に、前記ワイヤが収納されることを特徴とする請求項１〜請求項８のいずれかに記載のエレベータのガラス扉。
【発明の詳細な説明】
【技術分野】
【０００１】
この発明は、エレベータの乗場の戸又はかごの戸に適応されるエレベータのガラス扉に関するものである。
【背景技術】
【０００２】
従来のエレベータのガラス扉では、ガラスの四辺がガラス支持枠によって支持されている（例えば、特許文献１参照）。
【０００３】
また、別の従来のエレベータのガラス扉では、ガラスの上下縁部の二辺がガラス支持枠によって支持されている。
【０００４】
【特許文献１】特開平６−１１５８４４号公報
【発明の開示】
【発明が解決しようとする課題】
【０００５】
従来のエレベータのガラス扉においては、乗場又はかご室からガラス支持枠が見えるため、視認性、意匠性が悪かった。
【０００６】
また、別の従来のエレベータのガラス扉においては、上述のような問題はないが、安全性確保のために、ガラスの重量の増加及び扉駆動装置や扉保持部の容量の増加が必要となり、価格上昇を招いていた。
【０００７】
この発明は、上述のような課題を解決するためになされたもので、その目的は、ガラスの重量の増加及び扉駆動装置や扉保持部の容量の増加を必要とせず、安全性、視認性、意匠性を向上できるエレベータ用ガラス扉を提供することである。
【課題を解決するための手段】
【０００８】
この発明に係るエレベータのガラス扉は、ガラスの縁部がガラス支持枠で支持され、上方から吊り下げられ、下方を敷居に案内されて開閉する乗場の戸及びかごの戸の少なくとも一方を構成するエレベータのガラス扉において、前記ガラス支持枠は、前記ガラスの上縁部を支持する上部横枠と、前記ガラスの下縁部を支持する下部横枠と、前記ガラスの戸袋側一縁部を支持する縦枠とを備え、前記ガラスの戸当り側他縁部には、前記ガラス支持枠が配置されない構成としたものである。
【発明の効果】
【０００９】
この発明は、ガラスの縁部がガラス支持枠で支持され、上方から吊り下げられ、下方を敷居に案内されて開閉する乗場の戸及びかごの戸の少なくとも一方を構成するエレベータのガラス扉において、前記ガラス支持枠は、前記ガラスの上縁部を支持する上部横枠と、前記ガラスの下縁部を支持する下部横枠と、前記ガラスの戸袋側一縁部を支持する縦枠とを備え、前記ガラスの戸当り側他縁部には、前記ガラス支持枠が配置されない構成としたことで、安全性、視認性、意匠性を向上できるエレベータ用ガラス扉を提供することができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態に１におけるガラス扉を備えたエレベータを模式的に示した横断面図、図２はこの発明の実施の形態１におけるエレベータのガラス扉を乗場側から見た正面図、図３はこの発明の実施の形態１におけるエレベータのガラス扉の外観を模式的に示した斜視図、図４は図１のＡ部拡大図、図５はこの発明の実施の形態１におけるエレベータのガラス扉の戸袋側下部を示す斜視図、図６はこの発明の実施の形態１におけるガラス支持枠の組立方法を示す斜視図、図７はガラス支持枠の縦枠と下部横枠の固定部を示す正面図である。
【００１２】
図１において、１は昇降路と乗場を区切る昇降路壁、２は乗場の三方枠の縦枠、３の乗場の敷居、４は乗場の戸、５はエレベータのかご、６はかごの出入口枠の縦枠、７はかごの敷居、８はかごの戸である。乗場の戸４及びかごの戸８は、上方から吊り下げられており、乗場の敷居３、かごの敷居７に案内されて開閉する。
【００１３】
乗場の戸４は、係合装置（図示せず）を介してエレベータのかご５に設置されるかごの戸８と連動している。即ち、通常時においては、昇降路（図示せず）内を昇降するエレベータのかご５が到着した階のみ、乗場の戸４が開くように制御され、エレベータ利用者が乗場から昇降路に転落することを防止し、安全にエレベータのかご５に乗り込むことができるようになっている。この発明のガラス扉は、乗場の戸４とかごの戸８に適応できるが、以下、乗場の戸４に適応した場合で詳細に説明する。
【００１４】
図３に示すように、乗場の戸４を構成するガラス扉は、合わせガラス９と、合わせガラス９の戸袋側一縁部全高に渡って配置される縦枠１０ａと合わせガラス９の上下縁部全幅に渡って配置される上部横枠１０ｂ及び下部横枠１０ｃを有するガラス支持枠１０を備えている。また、図４に示すように、ガラス支持枠１０の縦枠１０ａは、乗場側に配置される長片が昇降路側に配置される短片側に階段状に折り曲げられ、戸当り側に短片内面との間で有底の凹部を有するように一体形成されている。図５〜図７に示すように、縦枠１０ａの下端において、凹部の両側壁がなくなるように設けられた切り欠きに、縦断面略ロ字状に形成され、両側面に沿って上面から鉛直上向きに突出する突出面を有する下部横枠１０ｃの一端が、戸当り側から縦枠１０ａの凹部の底面に当接するまで挿入されている。下部横枠１０ｃの突出面を含む両側面と縦枠１０ａの凹部の両側面は、同一平面上に配置され、下部横枠１０ｃと縦枠１０ａの接触部が、溶接により強固に固定されている。同様にして上部横枠１０ｂも、両突出面を鉛直下向きに突出させ、縦枠１０ａの上端の切り欠きに戸当り側から挿入されて溶接により縦枠１０ａに強固に固定されている。即ち、ガラス支持枠１０は、戸当り側には配置されず、縦枠１０ａ、上部横枠１０ｂ、下部横枠１０ｃの昇降路側側面が同一平面上に配置され、縦枠１０ａは、上部横枠１０ｂ及び下部横枠１０ｃよりも乗場側へ突出する突出部を備え、剛性が高くなっている。
【００１５】
この縦枠１０ａに固定された上部横枠１０ｂ及び下部横枠１０ｃの両突出面の間に形成される案内溝に、戸当り側から合わせガラス９の上縁部及び下縁部が案内され、縦枠１０ａの凹部の底に当接するまで挿入されている。合わせガラス９が挿入された上部横枠１０ｂ及び下部横枠１０ｃの戸当り側には、上部横枠１０ｂ及び下部横枠１０ｃと同じ奥行き、同じ高さを有し、合わせガラス９が上部横枠１０ｂ及び下部横枠１０ｃの案内溝から戸当り側に引き出されることを防止する塞ぎ板１１が、締結具（図示せず）等により固定され、ガラス扉の戸当り部として機能している。上部横枠１０ｂ及び下部横枠１０ｃの案内溝、塞ぎ板１１、縦枠１０ａの凹部と合わせガラス９の間にはシーリング材（図示せず）が充填されており、ガラス支持枠１０と合わせガラス９ががたつきなく固定されている。合わせガラス９は、縦枠１０ａの凹部、上部横枠１０ｂ及び下部横枠１０ｃの案内溝に挟み込まれているが、重量の大部分は、上部横枠１０ｂ及び下部横枠１０ｃよりも剛性の高い縦枠１０ａに支持されている。また、合わせガラス９は、縦枠１０ａ、上部横枠１０ｂ、下部横枠により、反りを矯正されている。
【００１６】
このガラス扉を構成するガラス支持枠１０の縦枠１０ａは、図２及び図４に示すように、全閉時においても戸袋内に収納され、乗場の三方枠の縦枠２の戸当り側端面に沿って合わせガラス９の表面側へ突出するように形成され、縦枠１０ａの突出部の戸当り側に配置される隠蔽部２ａによって乗場側から隠蔽されている。
【００１７】
以上で説明した実施の形態１によれば、乗場の戸４の戸当り側には、ガラス支持枠１０が配置されず、かつ、ガラス支持枠１０の戸袋側に配置される縦枠１０ａは、三方枠の縦枠２に形成される隠蔽部２ａによって乗場側から隠蔽されるため、上下縁部のみを支持されるガラス扉と同様の視認性、意匠性を維持できる。また、合わせガラス９は、剛性の高いガラス支持枠１０の縦枠１０ａに重量の大部分を支持され、かつ、縦枠１０ａ、上部横枠１０ｂ、下部横枠１０ｃによって反りの矯正もされるため、ガラス自体の強度を高めることなく、上下縁部及び両側縁部がガラス支持枠１０で支持されるガラス扉と同等の安全性を維持できる。
【００１８】
実施の形態２．
図８はこの発明の実施の形態２におけるエレベータのガラス扉の横断面図である。
【００１９】
実施の形態２においては、ガラス支持枠１０の縦枠１０ａは、乗場側に配置される長片が昇降側に配置される短片側に略Ｊ字状に折り曲げられ、渦巻き状に形成されている。縦枠１０ａの短片内面、戸袋側端面内面、中央に配置される取付面の間には、横断面略ロ字状の補強部材１２が、縦枠１０ａの全高に渡って配置され、縦枠１０ａの短片内面、長片をさらに曲げて形成されたＪ字状の連結部を両側面とし、補強部材１２の戸当り側端面を底面とした凹部が形成されている。縦枠１０ａの戸当り側端面と取付面には、同じ奥行き、同じ高さの所定位置に、それぞれ、締結具１３の頭部、締結具１３の係合部が貫通する貫通穴（図示せず）が形成されており、この貫通穴を利用して戸当り側から補強部材１２に締結具１３がねじ込まれ、縦枠１０ａと補強部材１２が固定されている。また、縦枠１０ａの凹部の底面と合わせガラス９の戸袋側一縁部の間には、合わせガラス９の破損防止、設置誤差の吸収を行う弾性体からなる緩衝材１４が挟み込まれている。その他の構成においては、実施の形態１と同様である。
【００２０】
以上で説明した実施の形態２によれば、実施の形態１と同様の効果に加え、縦枠１０ａには補強部材１２が固定されているため、縦枠１０ａの剛性がさらに高くなり、ガラス扉の安全性が向上する。また、縦枠１０ａの凹部と合わせガラス９の戸袋側一縁部の間には、合わせガラス９の破損防止、設置誤差の吸収を行う弾性体からなる緩衝材１４が挟み込まれているため、ガラス扉の組立性も向上する。
【００２１】
実施の形態３．
図９はこの発明の実施の形態３におけるエレベータのガラス扉の外観を模式的に示した斜視図、図１０はこの発明の実施の形態３におけるエレベータのガラス扉の横断面図、図１１はこの発明の実施の形態３におけるガラス扉の戸袋側下部を示す斜視図、図１２はこの発明の実施の形態３におけるガラス支持枠の組立方法を示す斜視図、図１３はこの発明の実施の形態３におけるガラス支持枠の縦枠と下部横枠の固定部を示す正面図である。
【００２２】
実施の形態３においては、ガラスの支持枠の縦枠１０ａは、横断面略凹字状に一体形成され、合わせガラス９の一縁部を挟み込む凹部が戸当り側に配置されている。図１２に示すように、実施の形態１と同様、縦枠１０ａの上下端において、凹部の両側壁がなくなるように切り欠きが設けられており、この切り欠きに、上部横枠１０ｂ及び下部横枠１０ｃが固定されている。縦枠１０ａは、下部横枠１０ｃ、上部横枠１０ｂよりも乗場側及び昇降路側へ突出するように奥行きがあり、剛性が高く形成されている。その他の構成においては、実施の形態１と同様である。
【００２３】
以上で説明した実施の形態３によれば、実施の形態２のように補強部材１２を使用することなく、縦枠１０ａの剛性を高めることができ、ガラス扉の安全性が向上する。
【００２４】
なお、実施の形態１〜実施の形態３では、乗場の戸４にガラス扉を適応して説明したが、乗場をエレベータのかご５に、乗場の戸４をかごの戸８に、三方枠の縦枠を、かごの出入口枠の縦枠に読み替えることにより、かごの戸８に適応できるのはいうまでもない。また、ガラス扉を構成するガラスは、合わせガラス９ではなく、単板ガラスでもよい。
【００２５】
実施の形態４．
図１４はこの発明の実施の形態４におけるエレベータのガラス扉の横断面図である。
【００２６】
一般に、エレベータのかごが到着していない場合は、乗場の戸４は、乗場の戸４の上方に配置される施錠装置（図示せず）の揺動自在な可動片（図示せず）が乗場の出入口上方の昇降路側に配置される固定片（図示せず）と係合して施錠されている。また、乗場の戸４には、エレベータの故障でかご内に閉じ込められたエレベータ利用者を救出する場合等に手動操作で解錠できるように、手動解錠装置（図示せず）が設置されている。この手動解錠装置は、乗場の戸４の戸袋側に配置され、揺動可能な解錠レバー（図示せず）の一端を乗場側から手動操作で引き上げることにより、解錠レバーの他端と可動片に連結されたワイヤ１５を引き下げ、可動片を固定片との係合を解除させる方向に揺動させ、施錠装置を解錠する。
【００２７】
実施の形態４においては、実施の形態２で説明したガラス扉の上部横枠１０ｂの上方に施錠装置が配置され、縦枠１０ａの所定高さの位置に手動解錠装置が配置されている。また、縦枠１０ａの中空部に、施錠装置の可動片と手動装置の揺動レバーに連結されるワイヤ１５が収納されている。
【００２８】
以上で説明した実施の形態４によれば、ワイヤ１５はガラス支持枠１０の縦枠１０ａの中空部に収納されるため、合わせガラス９にワイヤ１５を這わす必要がなくなり、実施の形態２と同様の視認性、意匠性を維持できる。
【図面の簡単な説明】
【００２９】
【図１】この発明の実施の形態に１におけるガラス扉を備えたエレベータを模式的に示した横断面図である。
【図２】この発明の実施の形態１におけるエレベータのガラス扉を乗場側から見た正面図である。
【図３】この発明の実施の形態１におけるエレベータのガラス扉の外観を模式的に示した斜視図である。
【図４】図１のＡ部拡大図である。
【図５】この発明の実施の形態１におけるエレベータのガラス扉の戸袋側下部を示す斜視図である。
【図６】この発明の実施の形態１におけるガラス支持枠の組立方法を示す斜視図である。
【図７】ガラス支持枠の縦枠と下部横枠の固定部を示す正面図である。
【図８】この発明の実施の形態２におけるエレベータのガラス扉の横断面図である。
【図９】この発明の実施の形態３におけるエレベータのガラス扉の外観を模式的に示した斜視図である。
【図１０】この発明の実施の形態３におけるエレベータのガラス扉の横断面図である。
【図１１】この発明の実施の形態３におけるガラス扉の戸袋側下部を示す斜視図である。
【図１２】この発明の実施の形態３におけるガラス支持枠の組立方法を示す斜視図である。
【図１３】この発明の実施の形態３におけるガラス支持枠の縦枠と下部横枠の固定部を示す正面図である。
【図１４】この発明の実施の形態４におけるエレベータのガラス扉の横断面図である。
【符号の説明】
【００３０】
１  昇降路壁
２  三方枠の縦枠
２ａ  隠蔽部
３  乗場の敷居
４  乗場の戸
５  エレベータのかご
６  かごの出入口を形成する縦枠
７  かごの敷居
８  かごの戸
９  合わせガラス
１０  ガラス支持枠
１０ａ  縦枠
１０ｂ  上部横枠
１０ｃ  下部横枠
１１  塞ぎ板
１２  補強部材
１３  締結具
１４  緩衝材
１５  ワイヤ
【図１】
2008105800.tif 000003
【図２】
2008105800.tif 000004
【図３】
2008105800.tif 000005
【図４】
2008105800.tif 000006
【図５】
2008105800.tif 000007
【図６】
2008105800.tif 000008
【図７】
2008105800.tif 000009
【図８】
2008105800.tif 000010
【図９】
2008105800.tif 000011
【図１０】
2008105800.tif 000012
【図１１】
2008105800.tif 000013
【図１２】
2008105800.tif 000014
【図１３】
2008105800.tif 000015
【図１４】
2008105800.tif 000016